(57)【要約】【課題】波長パスの波長変更時の他波長の送信光への悪影響を防ぐとともに波長変更を迅速かつ安定に行えるようにすること。【解決手段】波長パスの波長を変更する場合、トランスポンダからポートブロック設定要求メッセージを送る(S21)。波長選択スイッチは、ポートブロックを設定し、ポートブロック設定完了メッセージを返す(S22)。トランスポンダは、波長変更(S23)するとともにスイッチ設定要求メッセージを送り(S24)、波長選択スイッチは、波長変更後の送信光に対する経路を設定(S25)してスイッチ設定完了メッセージを返す(S26)。波長変更が完了し、かつ波長選択スイッチでの経路の設定が完了したことを条件として、波長選択スイッチでのポートブロックを解除する。ポートブロックは、トランスポンダ側で行ってもよい。【選択図】図２
2009198969.tif 000002
【特許請求の範囲】
【請求項１】
波長可変の送信光を出力する光源を有する光伝送装置と前記光源からの送信光をネットワーク側に挿入する波長選択スイッチを備えた全光ネットワークの波長パス設定システムにおいて、
前記波長選択スイッチは、前記光源からの送信光をその波長に応じて予め設定されている経路に導いて出力ポートに届ける構成を含み、
前記光源からの送信光を波長変更して波長パスの波長変更を行うとき、該波長変更に先立って、波長変更される送信光に対する前記光伝送装置の出力ポートあるいは前記波長選択スイッチの入力ポートをブロックする第１の手段と、
前記第１の手段によるブロックの期間中に、波長変更される送信光に対する前記波長選択スイッチでの経路を設定する第２の手段と、
波長変更が完了し、かつ前記第２の手段による経路の設定が完了した後、前記第１の手段によるブロックを解除する第３の手段を備え、
前記光源からの送信光の出力をオフさせずに波長変更された波長パスを設定することを特徴とする全光ネットワークの波長パス設定システム。
【請求項２】
波長パス設定メッセージに従って波長パスの入力端ノードと出力端ノードとの間に双方向の波長パスを設定するものであり、入力端ノード側および出力端ノード側に前記第１ないし第３の手段を備え、出力端ノード側の第１ないし第３の手段は、前記波長パス設定メッセージが到着したときに機能することを特徴とする請求項１に記載の全光ネットワークの波長パス設定システム。
【請求項３】
波長可変の送信光を出力する光源を有する光伝送装置と前記光源からの送信光をネットワーク側に挿入する波長選択スイッチを連携させて波長パスを設定する全光ネットワークの波長パス設定方法において、
前記波長選択スイッチとして、前記光源からの送信光をその波長に応じて予め設定されている経路に導いて届ける構成のものを用い、
前記光源からの送信光を波長変更して波長パスの波長変更を行うとき、該波長変更に先立って、波長変更される送信光に対する前記光伝送装置の出力ポートあるいは前記波長選択スイッチの入力ポートをブロックする第１のステップと、
前記第１のステップによるブロックの期間中に、波長変更される送信光に対する前記波長選択スイッチでの経路を設定する第２のステップと、
波長変更が完了し、かつ前記第２のステップによる経路の設定が完了した後、前記第１のステップによるブロックを解除する第３のステップを備え、
前記光源からの送信光の出力をオフさせずに波長変更された波長パスを設定することを特徴とする全光ネットワークの波長パス設定方法。
【請求項４】
波長パス設定メッセージに従って波長パスの入力端ノードと出力端ノードとの間に双方向の波長パスを設定する場合、入力端ノード側および出力端ノード側で前記第１ないし第３のステップを実行し、出力端ノード側の第１ないし第３のステップは、前記波長パス設定メッセージが到着したときに実行されることを特徴とする請求項１に記載の全光ネットワークの波長パス設定方法。
【発明の詳細な説明】
【技術分野】
【０００１】
本発明は、全光ネットワークの波長パス設定システムおよび方法に関し、特に、波長パスの波長変更時の他波長の送信光への悪影響を防ぐことができる、全光ネットワークの波長パス設定システムおよび方法に関する。
【背景技術】
【０００２】
全光ネットワークでは、波長多重(WDM)装置や波長選択スイッチ、さらには波長クロスコネクト装置を用いて波長パスを設定する。全光ネットワークは、フォトニックネットワーク、トランスペアレントネットワークなどとも称されており、各ノードでは、光−電気変換の過程を経ることなく、送信光をそのままクライアント装置側とネットワーク側との間でやり取り(挿入(Add)・分岐(Drop))する。
【０００３】
クライアント装置側とネットワーク側との間での送信光の挿入・分岐は、波長選択スイッチで実現される。波長選択スイッチをカラーレス化することにより波長選択スイッチでの機能を高めることができる。カラーレスとは、挿入・分岐ポートと波長との対応関係が固定されておらず、任意に設定できることを意味する。つまり、クライアント装置側からの送信光を任意の波長で任意のポートに挿入でき、また、ネットワーク側からの任意の波長の送信光を任意のポートの分岐できることを意味する。
【０００４】
図６は、波長選択スイッチの構成を示す概念図であり、同図(ａ)は、ネットワーク側からのクライアント装置側への送信光の分岐を示し、同図(ｂ)は、クライアント装置側からネットワーク側への送信光の挿入を示す。また、同図(ｃ)は、波長選択スイッチの構成を概念的に示す。
【０００５】
波長選択スイッチは、例えば、MEMS(Micro-Electro-Mechanical System：マイクロ電気機械システム)ベースのカラーレスROADM(Reconfigurable 0ptical Add Drop Multiplexer：波長挿入分岐装置)として構成され、図６(ａ)，(ｂ)に示すように、複数波長の送信光を任意のポートから挿入でき、また、複数波長の送信光を任意のポートに分岐できる。
【０００６】
図６(ｃ)に示す波長選択スイッチは、ミラー61、グレーティング62、フォーカスレンズ63およびミラー部分64を備える。ミラー部分は、複数のミラー64-1〜64-4を有する。なお、ここでは４つのミラーを図示しているが、一般的には、WDM波長の数だけのミラーを有する。
【０００７】
ミラー61は、入力ポート(1),(2),・・・から入力される送信光をグレーティング62に向ける。ミラー61は、波長選択スイッチのコンパクト化のために用いられるものであり、必ずしも必要とするものではない。
【０００８】
グレーティング62は、入力される送信光のビームを拡げ、フォーカスレンズ63は、これにより拡げられた送信光を、その波長に応じてミラー64-1,64-2,・・・上に収束させる。送信光の波長λ１,λ２,・・・とミラー64-1,64-2,・・・との関係は、固定的であり、各波長λ１,λ２,・・・の送信光はそれぞれ、ミラー64-1,64-2,・・・で反射される。ミラー64-1,64-2,・・・で反射された送信光は、再びフォーカスレンズ63、グレーティング62およびミラー61介して出力ポートに届く。
【０００９】
例えば、入力ポート(1),(2)から入力される送信光の波長をそれぞれλ１,λ２とすると、これらの送信光は、ミラー61、グレーティング62およびフォーカスレンズ63を介してそれぞれミラー64-1,64-2上に収束し、そこで反射され、再びフォーカスレンズ63、グレーティング62およびミラー61を介して出力ポートへ届く。出力ポートからは波長λ１,λ２の送信光が合波されたWDM信号が送出される。
【００１０】
ここで、入力ポート(1)から入力される送信光の波長をλ１からλ４に変更すると、その送信光はミラー64-4上に収束し、そこで反射されて出力ポートへ届くようになる。したがって、出力ポートからは波長λ２,λ４の送信光が合波されたWDM信号が送出されるようになる。なお、図６では、１つの出力ポートだけを図示しているが、リング状ネットワークでは上り用と下り用の２つの出力ポートがあり、さらにその他の方向への出力ポートがあることもある。ミラー部分64では、ミラー64-1〜64-4の各々の向きを調整することにより波長ごとに送信光が届く出力ポートを選択できる。
【００１１】
なお、１つの入力ポートから波長多重された送信光が入力された場合でも、その送信光は、ミラー部分64の対応するミラー上に各波長ごとに収束し、出力ポートへ届く。以上のようにして、複数波長の送信光を任意の入力ポートから入力し、それを所望の出力ポートに届けることができる。
【００１２】
なお、以上はクライアント装置側からネットワーク側への送信光の挿入の場合であるが、ネットワーク側からクライアント装置側への送信光の分岐は、送信光の進行方向を逆に考えればよく、ネットワーク側からの複数波長の送信光を任意のポートに分岐してクライアント装置側へ送出できる。
【００１３】
上記と同様の構成を有し、送信光を波長ごとに異なる経路を通して出力ポートに届ける波長選択スイッチは、特許文献１に記載されている。
【特許文献１】特表２００３−５１５１８７号公報
【発明の開示】
【発明が解決しようとする課題】
【００１４】
上記した波長選択スイッチを用いれば、その入力ポートに任意の波長を割り当てて送信光を挿入できる。しかしながら、波長の割り当てを変更する過程でクロストークが発生し、他波長の送信光が悪影響を受けるという課題がある。
【００１５】
例えば、図６において、入力ポート(1)から入力される送信光の波長をλ１からλ４に変更すると、その送信光は、ミラー64-1を介する経路からミラー64-4を介する経路に変更されて出力ポートへ届くようになるが、ここで他の波長パスに波長λ２,λ３とが使用されていると、波長λ２,λ３の送信光が悪影響を受ける。すなわち、他の波長パスに波長λ２,λ３が使用されていることは、ミラー64-2,64-3が波長λ２,λ３の送信光を反射している状態であるが、入力ポート(1)から入力される送信光の波長をλ１からλ４に変更されたことに伴ってその送信光がミラー64-1からミラー64-4に経路を変更する過程で、この送信光がミラー64-2,64-3に一時的に入射する。この影響で波長λ２,λ３の送信光にクロストークが発生し、その特性の劣化が生じる。
【００１６】
波長変更の際、波長選択スイッチへの送信光の出力源であるトランスポンダ内のレーザなどの光源をオフとし、その光出力を断にすることも考えられるが、このようにした場合、波長変更に要する時間が長くなるという問題が生じる。また、光源をオフから再びオンにしたときに、その光出力が安定するまでに時間が掛かるという問題も生じる。そのため、光源をオフにすることなく波長変更することが望ましい。
【００１７】
本発明の目的は、上記の課題を解決し、波長パスの波長変更時の他波長の送信光への悪影響を防ぐことができ、また、波長変更を迅速かつ安定して行うことができる、全光ネットワークの波長パス設定システムおよび方法を提供することにある。
【課題を解決するための手段】
【００１８】
上記課題を解決するため、本発明は、波長可変の送信光を出力する光源を有する光伝送装置と前記光源からの送信光をネットワーク側に挿入する波長選択スイッチを備えた全光ネットワークの波長パス設定システムにおいて、前記波長選択スイッチは、前記光源からの送信光をその波長に応じて予め設定されている経路に導いて出力ポートに届ける構成を含み、前記光源からの送信光を波長変更して波長パスの波長変更を行うとき、該波長変更に先立って、波長変更される送信光に対する前記光伝送装置の出力ポートあるいは前記波長選択スイッチの入力ポートをブロックする第１の手段と、前記第１の手段によるブロックの期間中に、波長変更される送信光に対する前記波長選択スイッチでの経路を設定する第２の手段と、
【００１９】
波長変更が完了し、かつ前記第２の手段による経路の設定が完了した後、前記第１の手段によるブロックを解除する第３の手段を備え、前記光源からの送信光の出力をオフさせずに波長変更された波長パスを設定することを特徴としている。
【００２０】
また、本発明は、波長パス設定メッセージに従って波長パスの入力端ノードと出力端ノードとの間に双方向の波長パスを設定するものであり、入力端ノード側および出力端ノード側に前記第１ないし第３の手段を備え、出力端ノード側の第１ないし第３の手段は、前記波長パス設定メッセージが到着したときに機能することを特徴としている。
【００２１】
また、本発明は、上記の各手段を備える装置としてだけでなく、各手順を実行する方法としても実現できる。
【発明の効果】
【００２２】
本発明によれば、光伝送装置から挿入する送信光をブロック(阻止)するポートブロック機能を光伝送装置あるいは波長選択スイッチに具備させ、波長パスの波長を変更するとき、波長変更する送信光が波長選択スイッチに入力されないようにしているので、波長変更時の他波長の送信光への悪影響を防ぐことができる。また、トランスポンダからの送信をオフさせないので、波長変更を迅速かつ安定して行うことができる。
【発明を実施するための最良の形態】
【００２３】
以下、図面を参照して本発明を説明する。図１は、本発明が適用される全光ネットワークの構成例を示すブロック図である。
【００２４】
この全光ネットワークは、２つのネットワーク1-1,1-2を含む。ネットワーク1-1はノード2-1〜2-4を含み、ネットワーク1-2はノード2-4〜2-7を含む。ネットワーク1-1,1-2の各々は、ノード2-1〜2-4、ノード2-4〜2-7を上り用と下り用の２本の光ファイバで接続することによりリング状に構成される。これらのネットワーク1-1,1-2は、例えば、メトロリングネットワークとして比較的狭い地域をカバーする。
【００２５】
また、ネットワーク1-1,1-2をノード(光クロスコネクト装置(OXC))2-4を介して接続することによりより広い地域をカバーするネットワークを構成できる。ノード2-1〜2-3,2-5〜2-7にはトランスポンダ(光伝送装置)3-1〜3-3,3-5〜3-6がそれぞれ接続される。トランスポンダ3-1〜3-3,3-5〜3-6にはそれぞれ、WDMの各波長を担う複数のトランスポンダが存在するが、ここではそれらを纏めて図示している。また、トランスポンダ3-1〜3-3,3-5〜3-6にはクライアント装置が接続されるが図示していない。
【００２６】
ノード2-1〜2-3,2-5〜2-7は、波長選択スイッチベースのカラーレスROADMを含む。カラーレスROADMは、例えば、図６の構成であり、挿入・分岐ポートに任意の波長を割り当ててトランスポンダ側(クライアント装置側)とネットワーク側との間で送信光の挿入・分岐を行う。トランスポンダ3-1〜3-6は、ルータやL2スイッチを含む構成とすることができ、ルータやL2スイッチが別体となったWDM装置の構成とすることもできる。
【００２７】
本発明は、光伝送装置(トランスポンダ)から挿入する送信光をブロックするポートブロック機能を光伝送装置あるいは波長選択スイッチに具備させ、このポートブロック機能によるブロックと波長選択スイッチでの送信光の経路の設定動作を波長変更動作と連携させることで波長変更時の他波長の送信光への悪影響を防ぎ、また、波長変更を迅速かつ安定して行うことを可能にする。
なお、以下では、各手順を実行する方法として説明するが、本発明は、各機能部を備える装置としても実現できる。
【００２８】
図２は、本発明の実施形態における波長変更手順の例を示すフローチャートである。本例は、波長選択スイッチにポートブロック機能を持たせた場合の例である。波長選択スイッチは、トランスポンダからの送信光が入力される各ポート(Addポート)にポートブロック機能を備えている。
【００２９】
波長パスの波長の変更動作開始前、トランスポンダから波長λ１の送信光が波長選択スイッチに送出されて波長λ１の波長パスが設定されているとする。ここで、この送信光の波長をλ１からλ４へ変更する必要が生じた場合、トランスポンダは、波長選択スイッチへポートブロック設定要求メッセージを送る(S21)。ポートブロック設定要求メッセージは、コントロールプレーン上でやり取りされる。以下の各種メッセージもコントロールプレーン上でやり取りされるものである。
【００３０】
なお、波長パスの波長を変更する必要性は、トランスポンダパッケージに障害が発生するなどしてホットスタンバイしている予備波長に変更する場合、運用中の波長を変更して波長パスを設定する場合などに生じる。
【００３１】
波長選択スイッチは、ポートブロック設定要求メッセージに応答し、自己のポートブロック機能を有効にしてポートブロックを設定する。ここで、ブロック設定するポートは、波長変更される送信光に対する波長選択スイッチの入力ポート、すなわち波長を変更して送信光を送出するトランスポンダが接続されているポートである。波長選択スイッチは、ポートブロックを設定した後、ポートブロック設定完了メッセージをトランスポンダに返す(S22)。
【００３２】
トランスポンダは、ポートブロック設定完了メッセージを受けると、送信光の波長をλ１からλ４へ変更(S23)するとともに、波長選択スイッチへスイッチ設定要求メッセージを送る(S24)。このスイッチ設定要求メッセージは、波長選択スイッチにおいて波長変更後の送信光に対する経路を設定してその送信光が所望の出力ポートに届くようにするためのものである。
【００３３】
波長選択スイッチは、スイッチ設定要求メッセージを受けると、波長変更後の送信光が所望の出力ポートに届くように経路を設定する(S25)。図６の構成の波長選択スイッチの場合、ミラー部分64のミラー64-4の向きを調整して反射光が所望の出力ポートに届くようにする。ミラー部分のミラーの向きは、以前の使用状態により所望の出力ポートに送信光が届くように設定されているとは限らないために、トランスポンダからスイッチ設定要求メッセージを送出しての経路設定が必要である。これにより、波長選択スイッチでは波長をλ１からλ４への波長変更に対する準備が完了する。その後、波長選択スイッチは、スイッチ設定完了メッセージをトランスポンダに返す(S26)。
トランスポンダは、スイッチ設定完了メッセージを受けると、波長変更が完了していることを条件として、波長選択スイッチへポートブロック解除要求メッセージを送る(S28)。トランスポンダでの波長変更は、スイッチ設定完了メッセージを受けるまでに完了(S27)しているのが普通であるが、それが完了していなければその完了を待ってからポートブロック解除要求メッセージを送る。
【００３４】
波長選択スイッチは、ポートブロック解除要求メッセージを受けると、有効とされていたポートブロック機能を無効にしてポートブロックを解除した後、ポートブロック解除完了メッセージをトランスポンダに返す(S29)。
トランスポンダ側では、ポートブロック解除完了メッセージが返されたことにより、波長選択スイッチが送信光の受けることが可能となって、これ以降の送信光がネットワーク側に挿入されることが分かる。上記した一連の動作により波長パスの波長変更を完了する。
【００３５】
なお、波長選択スイッチでの波長変更に対する準備が完了したときに、波長選択スイッチが自らポートブロック機能を解除し、スイッチ設定完了メッセージとともにポートブロック解除完了メッセージを通知するようにすれば、ポートブロック解除要求メッセージとポートブロック解除完了メッセージを別個に送受信することは不要となる。ただし、この場合でも、選択スイッチのポートブロック機能が解除されるまでに波長変更が完了していることが必要である。
【００３６】
以上のように、波長パスの波長を変更するとき、波長変更する送信光の入力ポート(Addポート)をブロックしているので、波長変更時の他波長の送信光への悪影響を防ぐことができる。また、トランスポンダからの送信光をオフさせないので、波長変更を迅速かつ安定して行うことができる。
【００３７】
図３は、本発明の実施形態における波長変更手順の他の例を示すフローチャートである。本例は、トランスポンダにポートブロック機能を持たせた場合の手順である。トランスポンダは、送信光の出力ポートにポートブロック機能を備えている。
【００３８】
波長パスの波長の変更動作開始前、トランスポンダから波長λ１の送信光が波長選択スイッチに送出されて波長λ１の波長パスが設定されているとする。ここで、この送信光の波長をλ１からλ４へ変更する必要が生じた場合、トランスポンダは、自己のポートブロック機能を有効にしてポートブロックを設定する(S31)。
【００３９】
ポートブロックの設定が完了(S32)した後、トランスポンダは、送信光の波長をλ１からλ４へ変更(S33)するとともに、波長選択スイッチへスイッチ設定要求メッセージを送る(S34)。
【００４０】
波長選択スイッチは、スイッチ設定要求メッセージを受けると、波長変更後の送信光が所望の出力ポートに届くように経路を設定する(S35)。これにより、波長選択スイッチでの、波長をλ１からλ４への波長変更に対する準備が完了するので、波長選択スイッチは、スイッチ設定完了メッセージをトランスポンダに返す(S36)。
トランスポンダは、スイッチ設定完了メッセージを受けると、波長変更が完了していることを条件として、有効とされていたポートブロック機能を無効にしてポートブロックを解除する(S38)。トランスポンダでの波長変更は、スイッチ設定完了メッセージを受けるまでに完了(S37)しているのが普通であるが、それが完了していなければその完了を待ってからポートブロックを解除する。
【００４１】
トランスポンダにおいてポートブロックの解除が完了すれば(S39)、トランスポンダからの送信光がネットワーク側に挿入される。上記した一連の動作により波長パスの波長変更を完了する。
【００４２】
図４は、４ノードNode1〜4の場合の波長パスの設定動作を示す説明図である。
【００４３】
波長パスの設定に際しては、入力端ノードNode1側のトランスポンダ(Ingress TPND)からパスメッセージPathを送出する。パスメッセージPathは、コントロールプレーン上でNode1,2,・・・,出力端ノードNode4側のトランスポンダ(Egress TPND)に順次転送される。送信光は、データプレーン上でIngress TPNDからNode1に挿入(Add)され、Node4からEgress TPNDに分岐(Drop)される。
【００４４】
ここで、波長パスの波長を変更する場合、Ingress側では、図２あるいは図３の手順に従って波長を変更する。すなわち、まず、Ingress TPNDとNode1との間のポートブロック機能を有効にする。その後、Ingress TPNDからNode1のスイッチ設定要求メッセージを送出する。スイッチ設定要求メッセージは、波長変更された波長パスを設定する際に送受信されるパスメッセージPathに載せることができる。
【００４５】
Nod1は、スイッチ設定要求メッセージを受けると、波長変更後の送信光が所望の出力ポートに届くようにその経路を設定する。Ingress TPNDでの波長変更が完了し、かつNod1での経路の設定が完了した後、ポートブロック機能を解除する。ポートブロック機能の解除が完了すれば、波長変更後の送信光がIngress TPNDからNode1に挿入される。
【００４６】
双方向通信の場合、Egress側では、パスメッセージPathがEgress TPNDに到達し、Egress TPNが予約メッセージResvを送出するときに波長変更後の送信光が所望の出力ポートに届くようにその経路を設定するのが普通である。しかし、Egress側でも、波長変更時にクロストークが生じないように、Egress側のNodeで経路の設定が開始される前にポートブロック機能を有効にし、波長変更が完了し、かつEgress側のNodeで経路の設定が完了した後にポートブロック機能を無効にすることが必要である。
【００４７】
図５は、双方向通信の場合のEgress側での波長パスの設定動作を示す説明図である。双方向通信の場合、Egress側では、Egress TPNDがパスメッセージPathを受け取っても即座に波長変更後の送信光をNode4に挿入しない。つまり、Egress側では、パスメッセージPathがEgress TPNDに到達したとき、まず、ポートブロック機能を有効にする。その後、波長変更後の送信光が所望の出力ポートに届くようにNode4内の経路を設定し、波長変更が完了し、かつNode4内の経路の設定が完了した後にポートブロック機能を解除する。ポートブロック機能が解除されれば、波長変更後の送信光がNode4に挿入される。
【００４８】
図４および図５において、波長パスの波長の変更は、ポートブロック機能がNode4内に具備されている場合、図２の手順により実行でき、ポートブロック機能がEgress TPN内に具備されている場合は、図３の手順により実行できる。
【００４９】
上記ポートブロック機能は、光減衰フィルタ、液晶デバイス、マッハツェンダ型デバイス、磁気光学効果デバイスなどを用いて実現できる。例えば、光減衰量が光軸に垂直な面内で変化しているNDフィルタなどの光減衰フィルタを用い、光軸に対するその位置を機械的に移動させることにより光減衰量を変化させる方法、光ファイバの曲げ損失が曲率半径によって変化することを利用し、その曲率半径を変化させて光減衰量を変化させる方法、液晶と偏光子を用いて光を通過あるいはストップさせる方法、磁気光学効果や光干渉(MZI)を用いて光を通過、ストップあるいは減衰させる方法などでポートブロック機能を実現できる。
【００５０】
以上実施形態を説明したが、本発明は、上記実施形態に限定されず、種々の変形が可能である。例えば、上記実施形態では、波長選択スイッチをMEMSベースのカラーレスROADMとしたが、本発明は、波長変更をヒットレスで行うことができない波長選択スイッチ、つまり、光源からの送信光を波長に応じて予め設定されている経路に導いて出力ポートに届ける過程でその送信光が他波長の送信光に混入してクロストークが生じる構成の波長選択スイッチであれば、それでのクロストークを抑制するのに有効である。例えば、LCベースのカラーレスROADMは、図６のミラー部分のミラーをLC(liquid crystal)とミラーの組み合わせに代え、LC制御で送信光の向きを調整する構成であり、波長変更時にクロストークが生じる恐れがあるので、本発明は有効である。
【図面の簡単な説明】
【００５１】
【図１】本発明が適用される全光ネットワークの構成例を示すブロック図である。
【図２】本発明の実施形態における波長変更手順の例を示すフローチャートである。
【図３】本発明の実施形態における波長変更手順の他の例を示すフローチャートである。
【図４】４ノードの場合の波長パスの設定動作を示す説明図である。
【図５】双方向通信の場合のEgress側での波長パスの設定動作を示す説明図である。
【図６】波長選択スイッチの構成を示す概念図である。
【符号の説明】
【００５２】
1-1,1-2・・・ネットワーク、2-1〜2-7・・・ノード、3-1〜3-3,3-5〜3-6・・・トランスポンダ(光伝送装置)、61,64-1〜64-4・・・ミラー、62・・・グレーティング、63・・・フォーカスレンズ、64・・・ミラー部分
【図１】
2009198969.tif 000003
【図２】
2009198969.tif 000004
【図３】
2009198969.tif 000005
【図４】
2009198969.tif 000006
【図５】
2009198969.tif 000007
【図６】
2009198969.tif 000008